【手続補正書】
【提出日】平成25年6月18日(2013.6.18)
【手続補正１】
【補正対象書類名】特許請求の範囲
【補正対象項目名】全文
【補正方法】変更
【補正の内容】
【特許請求の範囲】
【請求項１】
切断面を有する押出ダイを介してポリマを押し出す押出成型機と、
押し出されたポリマを受けるために輸送流体が通過する水室と、
モーション制御ロッドが貫通する中空駆動軸により駆動される複数の切断ブレードを備えたカッターハブと、
前記カッターハブおよびブレードを軸方向に前記金型の切断面に向かって、および前記金型の切断面から離れるように位置決めするため、前記駆動軸内で前記モーション制御ロッドを直線的に移動するように、前記カッターハブを前記モーション制御ロッドに動作可能に連結する位置制御装置と、
前記押し出されるポリマのエネルギ、輸送流体の流量およびカッターハブ自体の回転からなる群から選択された少なくとも１つのパラメータに基づいて前記カッターハブの位置制御装置に自動化されたフィードバックを提供することで、カッターブレードの取り付けられたカッターハブが常に、また再現性良く、押し出された素材から均一のペレットを形成するために、前記切断面に対して位置決めされる制御装置と、
を備えたことを特徴とする水中ペレタイザ。
【請求項２】
前記カッターハブの位置制御装置が、前記中空駆動軸を貫通する前記モーション制御ロッドと同一線上にあることを特徴とする請求項１に記載のペレタイザ。
【請求項３】
前記カッターハブの位置制御装置の長手方向軸が、前記中空駆動軸を貫通する前記モーション制御ロッドの面に平行な面内にあり、前記位置制御装置が前記モーション制御ロッドに駆動可能に取り付けられていることを特徴とする請求項１に記載のペレタイザ。
【請求項４】
前記カッターハブの位置制御装置が、チェーンおよびベルトの少なくとも１つを利用する前記モーション制御ロッドに取り付けられた被駆動機構に駆動可能に連結された前記カッターハブの位置制御装置上の駆動機構を用いて、前記モーション制御ロッドに駆動可能に取り付けられたことを特徴とする請求項３に記載のペレタイザ。
【請求項５】
前記カッターハブの位置制御装置が、前記モーション制御ロッドの面と異なる面内にあり、更に、前記モーション制御ロッドと同一線上に取り付けられた手動制御装置を含むことを特徴とする請求項１に記載のペレタイザ。
【請求項６】
前記カッターハブの位置制御装置が、ステッピングモータ、マイクロステッピングモータまたはサーボモータを含むことを特徴とする請求項１に記載のペレタイザ。
【請求項７】
前記制御装置が、プログラマブル論理制御装置を含むことを特徴とする請求項１に記載のペレタイザ。
【請求項８】
前記カッターハブの位置制御装置が、トルク、アンペア数、直線距離、回転角度、振動および伝導率の少なくとも１つに関してフィードバックを得ることを特徴とする請求項７に記載のペレタイザ。
【請求項９】
前記カッターハブの位置制御装置が、エンコーダ、回転角センサ、シンクロ、回転変圧器、ホール装置およびタコメータの少なくとも１つからフィードバックを得ることを特徴とする請求項７に記載のペレタイザ。
【請求項１０】
前記カッターハブの位置制御装置が、線形ねじおよび線形アクチュエータの少なくとも１つを介して、回転運動を直線運動に変換するように構成されたことを特徴とする請求項１に記載のペレタイザ。
【請求項１１】
前記制御装置は、前記カッターハブとブレードがフィードバック機構により設定された値の範囲の外側であることを示すフィードバック機構から受ける入力に応えて前記モーションロッドの移動を開始することを特徴とする請求項１に記載のペレタイザ。
【請求項１２】
前記カッターハブの位置制御装置が、前記中空駆動軸を貫通する前記モーション制御ロッドと同一線上にあることを特徴とする請求項１１に記載のペレタイザ。
【請求項１３】
モーション制御ロッドが延在して貫通するモータにより駆動される中空駆動軸に連結されたカッターハブとブレードとを有する水中ペレタイザ内のダイプレートの切断面に関しカッターブレードを制御する方法において、前記モーション制御ロッドが、前記カッターハブとブレードとを軸方向に金型の切断面に向かって、および前記金型の切断面から離れるように移動するため、前記駆動軸内を線上に移動可能であり、
前記方法が、
モーション制御ロッドの位置に基づいて、前記カッターハブを前記ダイプレートから離れ、ホーム位置とフィードバック下限値を規定する第１位置まで移動させるステップと、
前記カッターハブを前記ダイプレートに向かって、前記ブレードが前記ダイス面に対向するまで前記モーション制御ロッドを用いて、フィードバック上限値を規定する第２位置まで移動するステップと、
前記ペレタイザを始動し、時間間隔を設定するステップと、
前記時間間隔が経過するまで前記ペレタイザを動作させるステップと、
フィードバック機構を起動し、前記フィードバック機構から受ける入力に基づいて前記ダイス面に対し前記カッターハブとブレードの位置を調整するステップと、
を備えたことを特徴とする方法。
【請求項１４】
前記調整するステップが、前記ダイス面に対する前記カッターおよびブレードの位置を前記フィードバック機構により決定された値の範囲内、かつ、フィードバックの上限値および下限値の間に、保持するステップを備えたことを特徴とする請求項１３に記載の方法。
【請求項１５】
前記カッターハブを前記ダイプレートから離れるように、および前記ダイプレートに向かって移動するステップが、前記中空駆動軸を貫通する前記モーション制御ロッドと同一線上にあるカッターハブの位置制御装置を使用するステップを備えたことを特徴とする請求項１３に記載の方法。
【請求項１６】
前記カッターハブを前記ダイプレートから離れるように、および前記ダイプレートに向かって移動するステップが、前記カッターハブの位置制御装置としてステッピングモータ、マイクロステッピングモータまたはサーボモータを使用するステップを備えたことを特徴とする請求項１３に記載の方法。
【請求項１７】
フィードバック機構を起動するステップが、ペレタイザモータの中空駆動軸を貫通するモーション制御ロッドの直線位置を調整する回転運動カッターハブの位置制御装置を有し、カッターブレードの取り付けられた前記カッターハブが、溶解された押出し成形品、輸送流体の高流量およびカッターハブ自体の回転による影響を受けずに押し出された素材から均一のペレットを形成するために、常に、また再現性良く、前記切断面に対して位置決めされるステップを備えたことを特徴とする請求項１３に記載の方法。
【請求項１８】
前記カッターハブの位置制御装置に、トルク、アンペア数、直線距離、回転角度、振動および伝導率の少なくとも１つに関してフィードバックを与えるステップを更に備えた特徴とする請求項１３に記載の方法。
【請求項１９】
前記カッターハブを前記ダイプレートから離れるように、および前記ダイプレートに向かって移動するステップが、前記中空駆動軸を貫通する前記モーション制御ロッドの面に平行な面内にある長手方向軸を有し、前記モーション制御ロッドに駆動可能に取り付けられたカッターハブの位置制御装置を使用するステップを備えたことを特徴とする請求項１３に記載の方法。
【請求項２０】
前記カッターハブの位置制御装置を、チェーンおよびベルトの少なくとも１つを利用する前記モーション制御ロッドに取り付けられた被駆動機構に駆動可能に連結された前記カッターハブの位置制御装置の駆動機構を用いて、前記モーション制御ロッドに駆動可能に取り付けるステップを更に備えたことを特徴とする請求項１９に記載の方法。
【請求項２１】
前記カッターハブを前記ダイプレートから離れるように、および前記ダイプレートに向かって移動するステップが、前記モーション制御ロッドと前記中空駆動軸を横断し、前記モーション制御ロッドに駆動可能に取り付けられた長手方向軸を有するカッターハブの位置制御装置を使用するステップを備えたことを特徴とする請求項１３に記載の方法。
【請求項２２】
前記調整するステップが、前記ダイス面に対する前記カッターおよびブレードの位置を前記フィードバック機構により決定された値の範囲内、かつ、フィードバックの上限値および下限値の間に保持するステップを備えたことを特徴とする請求項１５に記載の方法。
【請求項２３】
フィードバック機構を起動するステップが、ペレタイザモータの中空駆動軸を貫通するモーション制御ロッドの直線位置を調整する回転運動カッターハブの位置制御装置を有し、カッターブレードの取り付けられた前記カッターハブが、溶解された押出し成形品、輸送流体の高流量およびカッターハブ自体の回転による影響を受けずに押し出された素材から均一のペレットを形成するために、常に、また再現性良く前記切断面に対して位置決めされるステップを備えたことを特徴とする請求項１５に記載の方法。
【請求項２４】
前記カッターハブの位置制御装置が、トルク、アンペア数、直線距離、回転角度、振動および伝導率の少なくとも１つに関してフィードバックを得るステップを更に備えたことを特徴とする請求項１５に記載の方法。
【請求項２５】
前記カッターハブの位置制御装置が、エンコーダ、回転角センサ、シンクロ、回転変圧器、ホール装置およびタコメータの少なくとも１つからフィードバックを得るステップを更に備えたことを特徴とする請求項１５に記載の方法。